(57)【要約】      （修正有）【課題】窓開口、玄関等の開口部を塞ぐ開閉扉において、外部侵入者が窓等を破壊しても鍵止を外すことが困難であり、防犯効果が高い開閉扉鍵止装置を提供する。【解決手段】開口部を形成された枠部材と、該開口部を塞ぐ少なくとも一つの扉部材と、前記枠部材または扉部材に回転可能に取付られて、扉閉塞状態を鍵止する軸支鍵止部材を有する第１係止構造と、扉開閉作動を可能にする位置と扉閉塞状態を保持する位置とに変移可能なように軸支され、ロック孔２２を設けた揺動部材を含み、前記第１係止構造を取付けられていない前記枠部材または扉部材に固着された第２係止構造とを有し、前記開口部を前記扉部材によって塞いだ状態で、前記第１係止構造が前記扉を閉じた状態を保持し、かつ前記軸支鍵止部材が前記ロック孔に嵌合する。【選択図】図６
0003223993.tif 000002
【実用新案登録請求の範囲】
【請求項１】
開口部を形成された枠部材と、
該開口部を塞ぐ少なくとも一つの扉部材と、
前記枠部材または扉部材に回転可能に取付られて、扉閉塞状態を鍵止する軸支鍵止部材を有する第１係止構造と、
扉開閉作動を可能にする位置と扉閉塞状態を保持する位置とに変移可能なように軸支されかつロック孔を設けた揺動部材を含み、前記第１係止構造を取付けられていない前記枠部材または扉部材に固着された第２係止構造とを有し
前記第１係止構造が、前記開口部を前記扉部材によって塞いだ状態で前記扉を閉じた状態を保持し、かつ前記軸支鍵止部材が前記ロック孔に嵌合することを特徴とする開閉扉鍵止装置。
【請求項２】
前記扉部材が、窓であることを特徴とする請求項１に記載の開閉扉鍵止装置。
【請求項３】
前記扉部材が、ドアであることを特徴とする請求項１に記載の開閉扉鍵止装置。
【請求項４】
前記第１係止構造が、係止状態を保持するクリック機構を有することを特徴とする請求項１に記載の開閉扉鍵止装置。
【考案の詳細な説明】
【技術分野】
【０００１】
本考案は、開閉扉鍵止装置、さらに詳しくは、開閉扉のロック状態を強固にかつ確実に保持するための開閉扉鍵止装置に関する。
ここで、開閉扉とは、家等の開口部に往復動あるいは回転揺動が可能に設置されて、該開口を開放したり閉塞したりするものを示す。
【背景技術】
【０００２】
（従来の技術）
ドアや窓の開閉扉のロック破壊防止装置として、アルミドア用や窓用の盗難防止ロックピン構造が知られている（例えば、特許文献１参照）。この盗難防止ロックピン構造は、アルミドアや窓枠より家内側に突出するようにアルミドアや窓に取付けられたロック部材を有し、該ロック部材はドア枠や窓枠に係合する状態と、係合しない状態に変化できる。そして、前記ロック部材をドア枠や窓枠に係合させることによりロックするものである。
【先行技術文献】
【特許文献】
【０００３】
【特許文献１】中華民国特許証番号第３２９２６２号
【考案の概要】
【考案が解決しようとする課題】
【０００４】
上述した従来の盗難防止ロックピン構造は、外部侵入者が引戸や窓を破壊して外部から侵入しようとするとき、引戸や窓を破壊し、孔を作る。外部侵入者はその孔から手を入れて、ロック部材を手探りで容易に開放状態すなわちロックしていない状態にすることができるという問題がある。
【０００５】
また、窓硝子等あるいはその窓枠に直接接着止め等されたロック部材に、鍵止されるべき引戸や窓枠が直接当接する構造である。そのため、鍵止された引戸や窓を強い荷重によって開けようとすると、ロック部材の接着止めが外れ、ロック作用が消滅して不審者の侵入を可能にしてしまうという問題がある。
【０００６】
さらに、従来の盗難防止ロックピン構造は、窓硝子等を半開き状態にしても、外部からより大きく閉じた状態に変更したり、半開きの解放部分から手を入れてロックピンを容易に非ロック状態すなわち窓開き状態にすることができるという問題がある。
【０００７】
（考案の目的）
本考案は、従来の盗難防止ロックピン構造における上述した従来の問題点に鑑みてなされたものであって、窓開口、玄関等の開口部を塞ぐ開閉扉において、外部侵入者が窓等を破壊しても鍵止を手探りで外すことが困難であり、防犯効果が高い開閉扉鍵止装置を提供することを目的とする。
【課題を解決するための手段】
【０００８】
上述した目的を達成する本考案は、
開口部を形成された枠部材と、
該開口部を塞ぐ少なくとも一つの扉部材と、
前記枠部材または扉部材に回転可能に取付られて、扉閉塞状態を鍵止する軸支鍵止部材を有する第１鍵止構造と、
扉開閉作動を可能にする位置と扉閉塞状態を保持する位置とに変移可能なように軸支されかつロック孔を設けた揺動部材を含み、前記第１鍵止構造を取付けられていない前記枠部材または扉部材に固着された第２鍵止構造とを有し
前記第１鍵止構造が、前記開口部を前記扉部材によって塞いだ状態で前記扉を閉じた状態を保持し、かつ前記軸支鍵止部材が前記ロック孔に嵌合することを特徴とする開閉扉鍵止装置である。
【考案の効果】
【０００９】
本考案の開閉扉鍵止装置によれば、窓開口、玄関等の開口部を塞ぐ開閉扉において、外部侵入者が窓等を破壊しても、軸支鍵止部材を鍵止状態から手探りで外すことが困難であり、高い防犯効果を得ることができる。
【図面の簡単な説明】
【００１０】
【図１】第１実施形態の開閉扉鍵止装置の第１鍵止機構の分解斜視図である。
【図２】第１実施形態の開閉扉鍵止装置の第１鍵止機構の鍵止可能状態の斜視図である。
【図３】第１実施形態の開閉扉鍵止装置の第１鍵止機構の折り畳み状態の斜視図である。
【図４】第１実施形態の開閉扉鍵止装置の第１鍵止機構を折り畳み状態にして第１窓本体に取付けた状態の説明図である。
【図５】第１実施形態の開閉扉鍵止装置の第１鍵止機構を展開し鍵止可能状態にして第１窓本体に取付けた状態の説明図である。
【図６】第１実施形態の第１鍵止機構と第２鍵止機構の取付状態を示す説明図である。
【図７】第２実施形態の第３鍵止機構の構成説明斜視図である。
【図８】図７のVIIIに示す領域の拡大図であって、押し込み指当てを押し込んでいない状態を示す。
【図９】図７のVIIIに示す領域の拡大図であって、押し込み指当てを押し込んだ状態を示す。
【考案を実施するための形態】
【００１１】
以下に本考案の開閉扉鍵止装置の実施形態を図に基づいて説明する。
（第１実施形態）
本考案の開閉扉鍵止装置の第１実施形態の引戸窓ロック装置は、図１〜図６に示すように、固定部１と、固定部１に軸支された揺動部２とを有する。固定部１と揺動部２は、第１実施形態の第１鍵止構造１００を形成する。
【００１２】
（第１鍵止機構）
固定部１は、図１に示すように、下端領域に固定軸受け連結部１３，１４，１５を有する。固定軸受け連結部１３，１４，１５のそれぞれには、軸部材３が嵌合される軸孔１３２，１４２，１５２が設けられている。固定軸受け連結部１３，１４，１５のそれぞれにはまた、固定部１と揺動部２との開き角度を制限するための当接突出部１３１，１４１，１５１及び当接平面部１３３，１４３，１５３が形成されている。固定部１の上端領域には、後述する保持フック２１が係合する保持フック係合凹部１１が形成されている。
【００１３】
揺動部２は、基端領域に揺動軸受け連結部２３，２４を有する。揺動軸受け連結部２３，２４のそれぞれには、軸部材３が嵌合される軸孔２３１，２４１が設けられている。揺動部２の中心領域には、後述するロックフック部材６の持ち手部６１が嵌合するロック孔２２が設けられている。
揺動部２の先端領域には、保持フック係合凹部１１に係合する保持フック係合凸部２１が設けられている。
【００１４】
固定部１と揺動部２は、図２に示すように、固定軸受け連結部１３，１４，１５と揺動軸受け連結部２３，２４とを組み合わせ、それぞれの軸孔１３２，１４２，１５２，２３１，２４１に軸部材３を嵌合させる。
固定部１と揺動部２は、両者が直交する状態に開いた展開状態(図２)と、両者が当接しかつ保持フック係合凸部２１が保持フック係合凹部１１に係合した折り畳み状態(図３)とを取り得る。
【００１５】
揺動部２を折り畳んだ状態の固定部１は、図４に示すように、接着剤１２又は両面テープによって扉等である第１窓本体５１に固着される。その後、揺動部２は、図５に示すように、固定部１に対し直交するように展開される。
【００１６】
（第２鍵止機構）
第２鍵止機構２００は、図６に示すように、第１窓本体５１の第１窓枠５１１を摺動可能に保持する第２窓枠５３に回転軸線５２２（図面に垂直）を中心に回転可能に取付けられたロック回動部材６を有する。
【００１７】
ロック回動部材６は、回転軸５２２と直交する平面内に延びる扇形面部５２４と、該扇形面部５２４と一体で回転軸５２２を中心線とする円筒面内に延びる円筒形フック面５２５と、扇形面部５２４から放射方向へ延びた持ち手部６１とを有する。円筒形フック面５２５は、回転軸５２２を中心として回転することによって、第１窓枠５２１に固着されたフック部材６４に係合可能である。
【００１８】
第１実施形態の開閉扉鍵止装置の使用方法は、図６に示すように、第１鍵止機構１００が、第１窓本体５１、あるいは該第１窓本体５１を保持する第１窓枠５１１に取付けられる。一方、第２鍵止構造２００は、第２窓枠５３に取付けられる。
【００１９】
この状態で、最初に、玄関や窓である開口部を第１窓枠５２１及び第１窓本体５１によって閉塞する。
次に、持ち手部６１を使って扇形面部５２４を回転軸５２２を中心に回転させて円筒形フック面５２５をフック部材６４にフック係合させる。
続いて、第２鍵止構造２００の揺動部２を水平になるまで軸部材３を中心に揺動させて、かつ持ち手部６１がロック孔２２に嵌合するようにする。
【００２０】
（第２実施形態）
（第３鍵止機構）
第２実施形態の開閉扉鍵止装置の第３鍵止機構１１００は、図７に示すように、第１実施形態の第１鍵止機構１００に、固定部１と揺動部２の展開状態をクリック係止するクリック機構１０００を組み合わせたものである。
第３鍵止機構１１００を示す図７において、第１鍵止機構１００と同一の構成については同一の符号を付して、その説明を省略する。
【００２１】
第３鍵止機構１１００の揺動部１１０２は、図７〜図９に示すように、クリック溝１１０４を形成することによって形成材料の弾性変形を可能したクリック突出部１１０６を有する。
クリック突出部１１０６の上面には、押し込み指当て１１０８が形成されている。クリック突出部１１０６の先端には、回転中心すなわち回転軸線１１０７からの距離を徐々に増加させる偏心円筒面１１１０を有するクリック偏心部１１１２が形成されている。
【００２２】
第３鍵止機構１１００の固定部１２０１の下端部には、図８及び図９に示すように、クリック突出部１１０６の先端が当接するクリック受部１２０４と、押し込み指当て１１０８を利用して押し込まれたクリック偏心部１１１２が通過するクリック通過溝１２０６が形成されている。
【００２３】
第３鍵止機構１１００の作動は、以下の通りである。第３鍵止機構１１００の揺動部１１０２を、図７及び図８に示すように、固定部１２０１に対し直交して水平になるように展開する。
この展開作動において、図８に示すように、固定部１２０１のクリック受け部１２０４がクリック偏心部１１１２を押し下げる。揺動部１１０２が固定部１２０１に対し直交して水平になった状態で、クリック受け部１２０４とクリック偏心部１１１２とが当接して、揺動部１１０２の展開状体（図８に示す状態）をロックする。
【００２４】
揺動部１１０２が固定部１２０１に対し直交して水平になったロック状態を解除するには、図９に示すように、押し込み指当て１１０８を矢印Ａに示す方向へ押し込む。その結果、クリック偏心部１１１２がクリック通過溝１２０６の前方へ移動し、クリック偏心部１１１２がクリック通過溝１２０６を通過することが可能となる。この状態で、図９の矢印Ｂに示す方向に揺動部１１０２を上方回動させることができる。
【符号の説明】
【００２５】
１                固定部
１１              保持フック係合凹部
１００            第１鍵止構造
１２              接着剤
１３，１４，１５  固定軸受け連結部
２                揺動部
２００            第２鍵止機構
２３，２４        揺動軸受け連結部
２１              保持フック係合凸部
２２              ロック孔
３                軸部材
５１              第一窓本体
５２１            第１窓枠
５２２            回転軸
５２４            扇形面部
５２５            円筒形フック面
６                ロックフック
６１              持ち手部
１１０４          クリック溝
１１０６          クリック突出部
１１０７          回転軸線
１１０８          押し込み指当て
１１１０          偏心円筒面
１１１２          クリック偏心部
１２０６          クリック通過溝
【図１】
0003223993.tif 000003
【図２】
0003223993.tif 000004
【図３】
0003223993.tif 000005
【図４】
0003223993.tif 000006
【図５】
0003223993.tif 000007
【図６】
0003223993.tif 000008
【図７】
0003223993.tif 000009
【図８】
0003223993.tif 000010
【図９】
0003223993.tif 000011